(57)【特許請求の範囲】
【請求項１】
アンテナ本体と、
前記アンテナ本体で送受信される電波を制御する制御装置と、
前記アンテナ本体および前記制御装置を内部に収容する筐体と、を備え、
前記筐体は、当該筐体に、前記制御装置を当該筐体の内部に通す開口と、当該開口から当該筐体の内部に当該制御装置が収容された状態にて、当該制御装置の周囲を覆うとともに、当該制御装置が有する制御装置側コネクタと接続される相手側コネクタを有するシールドケースと、を備え、
前記制御装置は、前記筐体の内部に着脱自在であり、当該筐体の内部に収容された際に前記シールドケースによりシールドされていることを特徴とするアンテナ装置。
【請求項２】
前記シールドケースは、前記筐体の底部に固定され、
前記制御装置は、前記シールドケースに直接結合される請求項１に記載のアンテナ装置。
【請求項３】
前記制御装置は、前記筐体に対する着脱方向に延びた縁部を備え、
前記シールドケースは、前記着脱方向に延びた、前記縁部を案内する案内溝を有する請求項１に記載のアンテナ装置。
【請求項４】
前記縁部は、誘電体基板の縁部である請求項３に記載のアンテナ装置。
【請求項５】
前記縁部は、前記アンテナ本体から前記制御装置に入力された複数の周波数の電波によって生じる雑信号の発生を防止するノイズ制御回路の基板の縁部である請求項３に記載のアンテナ装置。
【発明の詳細な説明】
【技術分野】
【０００１】
本発明は、アンテナ装置に関する。
【背景技術】
【０００２】
基地局用のアンテナ装置は、ビルの屋上や塔の上部などの高所に取り付けられている。このアンテナ装置には、遠隔電気チルト装置（ＲＥＴ；Remote Electrical Tilt）と称される制御装置を備えているものがある。この制御装置は、電波のチルト角を調整する移相器のモータの駆動を制御するものであり、アンテナ装置の筐体の内部に収容（内蔵）されている（例えば、特許文献１参照）。
【先行技術文献】
【特許文献】
【０００３】
【特許文献１】特開２０１２−０４４５０７号公報
【発明の概要】
【発明が解決しようとする課題】
【０００４】
アンテナ装置に内蔵された制御装置をメンテナンスする場合や、制御装置を交換する場合は、アンテナ装置を高所からクレーン車等を使って下ろす必要がある。その後、アンテナ装置から制御装置を取り外し、メンテナンス等の終了後に、制御装置をアンテナ装置に取り付け、アンテナ装置を高所に再度設置する。
このように、制御装置のメンテナンスや交換には、手間や時間がかかる。
【０００５】
本発明は、制御装置のメンテナンスや交換に要する手間や時間を軽減、短縮することができるアンテナ装置を提供することを目的とする。
【課題を解決するための手段】
【０００６】
本発明に係るアンテナ装置は、アンテナ本体と、前記アンテナ本体で送受信される電波を制御する制御装置と、前記アンテナ本体および前記制御装置を内部に収容する筐体と、を備え、前記筐体は、当該筐体に、前記制御装置を当該筐体の内部に通す開口と、当該開口から当該筐体の内部に当該制御装置が収容された状態にて、当該制御装置の周囲を覆うとともに、当該制御装置が有する制御装置側コネクタと接続される相手側コネクタを有するシールドケースと、を備え、前記制御装置は、前記筐体の内部に着脱自在であり、当該筐体の内部に収容された際に前記シールドケースによりシールドされていることを特徴とする。
これにより、制御装置の着脱の作業性を高めるとともに、雨滴等が直接当たるのを抑制することができる。また、コネクタを別途接続する作業が不要になる。
本発明のアンテナ装置においては、前記シールドケースは、前記筐体の底部に固定され、前記制御装置は、前記シールドケースに直接結合されることを特徴とすることができる。
これにより、コネクタ接続における累積誤差を低減することができる。
本発明のアンテナ装置においては、前記制御装置は、前記筐体に対する着脱方向に延びた縁部を備え、前記シールドケースは、前記着脱方向に延びた、前記縁部を案内する案内溝を有することを特徴とすることができる。
これにより、着脱中の制御装置の姿勢を安定させることができる。
本発明のアンテナ装置においては、前記縁部は、誘電体基板の縁部であることを特徴とすることができる。
これにより、誘電体基板を案内にも利用することで、案内溝に挿入される突起等を別途備える必要がない。
本発明のアンテナ装置においては、前記縁部は、前記アンテナ本体から前記制御装置に入力された複数の周波数の電波によって生じる雑信号の発生を防止するノイズ制御回路の基板の縁部であることを特徴とすることができる。
これにより、ノイズ制御基板を案内にも利用することで、案内溝に挿入される突起等を別途備える必要がない。
【発明の効果】
【０００７】
本発明に係るアンテナ装置によれば、制御装置のメンテナンスや交換に要する手間や時間を軽減、短縮することができる。
【図面の簡単な説明】
【０００８】
【図１】本発明の一実施の形態に係るアンテナ装置の外観を示す斜視図である。
【図２】カバーが取り外された状態のアンテナ装置の下部を示す斜視図である。
【図３】カバーが取り外された状態のアンテナ装置の下部を示す側面図である。
【図４】ＲＥＴが取り外された状態のアンテナ装置の下部を示す斜視図である。
【図５】ＲＥＴが取り外された状態のアンテナ装置を下方から見た底面図である。
【図６】ＲＥＴを示す斜視図であり、（Ａ）は外面となる前板の側から見た図、（Ｂ）は前板とは反対となる奥側から見た図、をそれぞれ表す。
【図７】アンテナ装置に対するＲＥＴの着脱途中の状態を示す、図２相当の斜視図である。
【図８】図７におけるＲＥＴの拡大図である。
【発明を実施するための形態】
【０００９】
＜アンテナ装置の構成＞
（全体構成）
以下、添付図面を参照して、本発明の実施の形態について説明する。
図１は、本発明の一実施の形態であるアンテナ装置１００の外観を示す斜視図である。図示のアンテナ装置１００は、アンテナ本体の一例としてのアンテナ１０と、制御装置の一例としての、アンテナ１０から出射される電波の方向（チルト角）を制御する遠隔電気チルト装置２０（以下、ＲＥＴ（Remote Electrical Tilt）２０という。）と、アンテナ１０およびＲＥＴ２０を内部に収容する筐体の一例としてのレドーム８０と、を備えている。
【００１０】
（レドーム）
レドーム８０は、軸方向に長い円筒状のカバー８１と、カバー８１の一端開口を塞ぐ上蓋８４と、カバー８１の他端開口を塞ぐ底部の一例としての下蓋８５とを備えている。カバー８１には、例えば支柱２００等の設置場所に固定するためのブラケット８２，８３が設けられている。図示のレドーム８０は、上蓋８４を上方、下蓋８５を下方に向けた姿勢で鉛直方向に延びた、設置場所の一例としての支柱２００に、ブラケット８２，８３を介して設置されている。
【００１１】
レドーム８０のカバー８１は、例えば樹脂やＦＲＰ等の、電波を透過し易い低誘電率で低誘電損失の材料で形成されている。下蓋８５は、ＲＥＴ２０の重量を支えたり、接続される送受信ケーブル等を支えたりするため、ステンレス等の金属で形成されている。
なお、アンテナ装置１００が設置される場所は、支柱２００を始めとして、ビルの屋上や塔の上部などの高所とされることが多いが、設置場所としては高所に限定されない。
【００１２】
図２は、カバー８１（図１参照）を取り除いた状態のアンテナ装置１００の下部を示す斜視図、図３はカバー８１を取り除いた状態のアンテナ装置１００の下部を示す側面図、図４はＲＥＴ２０（図１参照）が取り外された状態のアンテナ装置１００の下部を示す斜視図、図５はＲＥＴ２０（図１参照）が取り外された状態のアンテナ装置１００を下方から見た底面図である。
下蓋８５には、図２に示すように、アンテナ装置１００に接続される送受信ケーブル（図示省略）が接続される複数のコネクタ１１が固定されている。送受信ケーブルは、例えば同軸ケーブルである。
また、下蓋８５には、図４に示すように、ＲＥＴ２０をレドーム８０の内部に通す開口８５ａが形成されている。ＲＥＴ２０（図１参照）は、レドーム８０の外部から下蓋８５の開口８５ａを通してレドーム８０の内部に収容されている。
【００１３】
（シールドケース）
レドーム８０の内部に収容されたＲＥＴ２０は、電磁的にシールドされている。この電磁的なシールドは、図２，３に示すように、収容されたＲＥＴ２０の周囲を覆うシールドケース７０によって実現されている。
シールドケース７０は、例えばアルミ合金によって形成されている。シールドケース７０は、引き抜き工法で形成された、断面が八角筒状の外周板７１と、外周板７１の一方の側の端の開口を塞ぐ端板７２とにより、一端面が開口した箱状に形成されている。シールドケース７０は、図４，５に示すように、シールドケース７０の開口７４が下蓋８５の開口８５ａに重なるように、下蓋８５に固定されている。
【００１４】
シールドケース７０は、図５に示すように、シールドケース７０の開口７４側の端面にねじ孔７６，７７が形成されている。シールドケース７０の開口７４と下蓋８５の開口８５ａとを重ねた状態にて、ねじ孔７６は、下蓋８５の開口８５ａに重なって、レドーム８０の外部に露出している。ねじ孔７６は、ＲＥＴ２０（図１参照）をシールドケース７０に結合させるねじ２７（図２参照）が締結される。一方、ねじ孔７７は、下蓋８５の開口８５ａに重ならず、下蓋８５が重なっている。そして、レドーム８０の外部側から下蓋８５を挟んで、ねじ孔７７にねじ８６が締結されて、シールドケース７０は下蓋８５に固定されている。
【００１５】
シールドケース７０の開口７４に対向する奥側の端板７２には、図３に示すように端板７２を貫通した、相手側コネクタの一例としてのコネクタ９０が固定されている。コネクタ９０の、シールドケース７０の外側部分は、電線（図示省略）が接続されている。この電線は、レドーム８０の内部に収容された移相器を駆動するモータ（図示省略）に接続されている。
コネクタ９０の、シールドケース７０の内側に露出した部分は、シールドケース７０の内側にＲＥＴ２０（図３参照）が収容された状態にて、ＲＥＴ２０側のコネクタ２５と接続される。コネクタ２５は制御装置側コネクタの一例である。
【００１６】
シールドケース７０の外周板７１の内面には、図４，５に示すように、外周板７１の軸方向に延びた２本の、案内溝の一例としてのガイドレール７５が形成されている。このガイドレール７５には、ＲＥＴ２０（図１参照）に設けられたノイズ防止用のノイズ制御回路が形成されたノイズ制御基板２４（後述する図６参照）の両側縁部２４ａ，２４ｂが挿入される。
なお、本実施形態では、ノイズ制御基板２４の両側縁部２４ａ，２４ｂがガイドレール７５に挿入される構造としたが、挿入される部分はノイズ制御基板２４の両側縁部２４ａ，２４ｂに限らず、他の機能を持つ板や突起でもよい。
例えば、誘電体基板の一例でもある駆動制御基板２３（後述する図６参照）の縁部を、ガイドレール７５に挿入される部分として適用することもできる。また、ＲＥＴ２０に予め形成されている、突起状の部分を利用してもよいし、突起などを別途形成してもよい。
【００１７】
（ＲＥＴ）
ＲＥＴ２０は、アンテナ装置１００が支柱２００に取り付けられた状態にて、レドーム８０の内部から着脱自在に構成されている。
ＲＥＴ２０は、アンテナ１０で送受信される電波のチルト角を調整する移相器のモータの駆動を制御するものである。アンテナ装置１００は、レドーム８０の内部に、移相器および移相器のモータも備えているが、これらの図示は省略している。
【００１８】
図６はＲＥＴ２０を示す斜視図であり、（Ａ）は外面となる前板２１の側から見た図、（Ｂ）は前板２１とは反対となる奥側から見た図、をそれぞれ表す。ＲＥＴ２０は、図６に示すように、駆動制御基板２３と、ノイズ制御基板２４と、基部２２と、前板２１とを備えている。
駆動制御基板２３は、矩形のガラスエポキシ基板上に、移相器用のモータの駆動を制御する駆動制御回路が形成されたものである。駆動制御基板２３は、例えば、フラッシュメモリ等により、データ（アンテナ機種名、チルト角等）を保持する機能も備えている。
【００１９】
ノイズ制御基板２４は、矩形のガラスエポキシ基板上に、相互変調歪のノイズがアンテナ１０に伝達されるのを防止するためのノイズ制御回路が形成されたものである。ノイズ制御基板２４は、駆動制御基板２３に平行に配置されている。ノイズ制御基板２４の両側縁部２４ａ，２４ｂは、レドーム８０（図５参照）に対してＲＥＴ２０の着脱方向に延びている。
【００２０】
また、両側縁部２４ａ，２４ｂは、電気回路を形成するための銅箔が剥がされていて、ガラスエポキシ基板の樹脂が暴露している。この銅箔が剥がされた両側縁部２４ａ，２４ｂは、ＲＥＴ２０がレドーム８０の内部に着脱されるとき、シールドケース７０のガイドレール７５に挿入される。これにより、ＲＥＴ２０とガイドレール７５とは、電気的な絶縁状態が確保されている。
【００２１】
基部２２は、金属材料で形成されている。基部２２は、駆動制御基板２３と平行に形成された下板２２ａと、駆動制御基板２３およびノイズ制御基板２４の奥側となる端よりも外側で、下板２２ａからノイズ制御基板２４の側に立ち上げられた後板２２ｂとを形成している。下板２２ａは、駆動制御基板２３およびノイズ制御基板２４を支持している。
後板２２ｂには、ＲＥＴ２０がシールドケース７０（図３参照）の内側に収容された状態にて、シールドケース７０のコネクタ９０（図３参照）と接続されるコネクタ２５が設けられている。このコネクタ２５は、一例としてフローティングコネクタが適用されている。フローティングコネクタは、後板２２ｂに取り付けられた状態にて、図示の上下方向や、図示の左右にそれぞれ遊びがあり、接続される相手のコネクタ９０との位置関係に誤差があっても、その誤差を遊びが吸収して接続される。したがって、コネクタ９０との接続を容易にする。コネクタ２５は、駆動制御基板２３およびノイズ制御基板２４に電気的に接続されている。
【００２２】
ＲＥＴ２０のうち前板２１を除いた本体部分は、断面がレドーム８０（図５参照）の下蓋８５の開口８５ａよりも小さく形成されている。したがって、ＲＥＴ２０は、前板２１を除いて、レドーム８０の外部から、下蓋８５の開口８５ａを通じて、レドーム８０の内部に出し入れ可能となっている。また、シールドケース７０（図４，５参照）に対してＲＥＴ２０が着脱されるときは、シールドケース７０のガイドレール７５と、ＲＥＴ２０（図６参照）のノイズ制御基板２４の両側縁部２４ａ，２４ｂとが接触する以外、他の部分同士は接触しない。
【００２３】
前板２１は、後板２２ｂに対向する側に設けられている。前板２１は、基部２２に結合されている。前板２１には、駆動制御基板２３の駆動制御回路に信号を送るための電線（図示省略）を接続するコネクタ２８ａ，２８ｂが設けられている。前板２１には、後板２２ｂの側とは反対方向に折り曲げられて、指を通す孔が形成された指掛け部２１ａを有している。
【００２４】
前板２１は、レドーム８０（図５参照）の下蓋８５の開口８５ａよりも大きく形成されている。したがって、ＲＥＴ２０の本体部分が、レドーム８０の外部から、下蓋８５の開口８５ａを通じてレドーム８０の内部に収容されたとき、前板２１はレドーム８０の外部に露出する。
ＲＥＴ２０が、図３に示すように、シールドケース７０内に収容され、前板２１がレドーム８０の下蓋８５に接した状態にて、ＲＥＴ２０のコネクタ２５は、シールドケース７０に設けられたコネクタ９０に接続されている。
前板２１は、図２に示すように、レドーム８０の下蓋８５とシールドケース７０とを結合したねじ８６に干渉しないように、凹んだ輪郭形状の凹部２１ｃが形成されている。
【００２５】
前板２１には、図６に示すように、ねじ２７が取り付けられている。このねじ２７は、図５に示すように、開口８５ａを通して外部に露出したシールドケース７０のねじ孔７６に締結される。ねじ２７は、例えばパネルファスナが適用される。パネルファスナは、ねじが、前板２１に固定された筒状のスリーブに引っ掛るように構成されている。そして、ねじを締めると、ねじはスリーブの内部に隠れる。一方、ねじを緩めると、ねじはスリーブに引っ掛り、スリーブから脱落しないようになっている。
【００２６】
＜アンテナ装置の作用、効果＞
本実施の形態のアンテナ装置１００は、図３に示すように、ＲＥＴ２０がレドーム８０の内部に収容されている状態にて、ＲＥＴ２０の前板２１に設けられたねじ２７（図６参照）が、シールドケース７０のねじ孔７６（図５参照）に締結されている。これにより、ＲＥＴ２０は、図２に示すように、下蓋８５に固定されている。そして、ＲＥＴ２０は、レドーム８０内に収容されている状態にて、図２，３に示すように、シールドケース７０に覆われて、電磁的にシールドされている。
【００２７】
また、ＲＥＴ２０がレドーム８０内に収容されている状態にて、ＲＥＴ２０のコネクタ２５とシールドケース７０のコネクタ９０とが接続されている。したがって、ＲＥＴ２０の駆動制御基板２３（図６参照）に形成された駆動制御回路による制御信号は、両コネクタ２５，９０および図示を省略した電線を通じて移相器を駆動するモータの駆動を制御する。これにより、アンテナ１０で送受信される電波のチルト角が調整される。
【００２８】
ＲＥＴ２０は、地上やアンテナ装置１００の製造工程だけでなく、アンテナ装置１００が支柱２００（図１参照）に取り付けられた状態においても、レドーム８０の内部から着脱自在である。ＲＥＴ２０をアンテナ装置１００から取り外すときは、ＲＥＴ２０の前板２１（図６参照）に設けられたねじ２７を緩める。ねじ２７は鉛直方向に進退するため、ねじ２７を緩めたとき、ねじ２７には下方に重力が作用するが、ねじ２７としてパネルファスナを適用した場合は、ねじ２７が前板２１から脱落して落下することはない。
【００２９】
前板２１をシールドケース７０に取り付けていた全てのねじ２７を緩めると、ＲＥＴ２０はアンテナ装置１００の内部から下方へ移動させることが可能になる。ねじ２７を緩めた状態では、図３に示すように、ＲＥＴ２０のコネクタ２５とシールドケース７０のコネクタ９０とがまだ接続された状態を維持している。したがって、全てのねじ２７を緩めた状態であっても、ＲＥＴ２０が直ちに下方に落下することはない。
【００３０】
図７は、アンテナ装置１００に対するＲＥＴ２０の着脱途中の状態を示す、図２相当の斜視図であり、図８は、図７におけるＲＥＴ２０の拡大図である。
ＲＥＴ２０の前板２１に形成された指掛け部２１ａに指が掛けられて、下方に引かれると、その引かれる荷重によって、コネクタ２５（図３参照）とコネクタ９０との接続が外れ、図７に示すように、ＲＥＴ２０の全体がシールドケース７０内から下方に引き出され始める。指掛け部２１ａが形成されていることで、作業者がＲＥＴ２０を下方に引く際の手掛かりとして、前板２１のコネクタ２８ａ，２８ｂ（図６参照）に接続された電線（図示省略）を掴むことを抑制している。
【００３１】
このＲＥＴ２０の下方への引き出しの際は、図８に示すように、ＲＥＴ２０のノイズ制御基板２４の両側縁部２４ａ，２４ｂが、シールドケース７０のガイドレール７５に沿って進退する。したがって、ＲＥＴ２０がレドーム８０（図７参照）の内部から引き出される操作中に、ＲＥＴ２０の姿勢が不安定になるのを抑制している。しかも、ガイドレール７５は、ＲＥＴ２０の着脱方向に沿って形成されているため、ＲＥＴ２０はまっすぐ下方に引き出される。
【００３２】
さらに、ＲＥＴ２０の下方への引き出しの際には、シールドケース７０のガイドレール７５と、ＲＥＴ２０のノイズ制御基板２４の両側縁部２４ａ，２４ｂとが接触しながら相対的に動く。ここで、仮に、金属同士が接触するときは、いわゆるホワイトノイズが発生する。ホワイトノイズはアンテナ１０が発する電波に影響を与えるおそれがある。
しかし、本実施の形態のアンテナ装置１００は、ノイズ制御基板２４の両側縁部２４ａ，２４ｂはガラスエポキシ基板の素地である樹脂が暴露しているため、金属同士の接触がなく、ホワイトノイズは発生しない。したがって、アンテナ１０の動作中に、ＲＥＴ２０が着脱されても、アンテナ１０が発する電波に影響を与えるおそれはない。
ＲＥＴ２０がレドーム８０の下蓋８５の開口８５ａからレドーム８０の外部に引き出されると、ＲＥＴ２０は、レドーム８０やアンテナ１０から分離した状態となる。
【００３３】
メンテナンスが施された後のＲＥＴ２０または交換されたＲＥＴ２０をアンテナ装置１００に取り付ける際は、図８に示すように、レドーム８０の下蓋８５に形成された開口８５ａを通じて、ＲＥＴ２０が、後板２２ｂ（図６参照）を上にした姿勢でシールドケース７０の内部に下方から挿入される。
このとき、ＲＥＴ２０のノイズ制御基板２４の両側縁部２４ａ，２４ｂが、シールドケース７０のガイドレール７５に挿入される。ＲＥＴ２０のノイズ制御基板２４およびシールドケース７０のガイドレール７５は、一方の辺側に偏って形成されているため、ＲＥＴ２０の姿勢が間違った向きで、ノイズ制御基板２４がガイドレール７５に挿入されることはない。
【００３４】
ノイズ制御基板２４の両側縁部２４ａ，２４ｂが、シールドケース７０のガイドレール７５に挿入された状態で、ＲＥＴ２０が上方に移動されてシールドケース７０の内部に収容される。ＲＥＴ２０がシールドケース７０の内部に収容される操作中は、ガイドレール７５が両側縁部２４ａ，２４ｂを案内するため、ＲＥＴ２０の姿勢が不安定になるのを抑制している。また、操作中にホワイトノイズも発生しない。
【００３５】
前板２１がレドーム８０の下蓋８５に接する手前から、ＲＥＴ２０のコネクタ２５（図３参照）がシールドケース７０のコネクタ９０と接続し始め、前板２１が下蓋８５に接した状態で、ＲＥＴ２０のコネクタ２５がシールドケース７０のコネクタ９０に接続される。
ＲＥＴ２０のコネクタ２５とシールドケース７０のコネクタ９０とが接続された状態では、両コネクタ２５，９０の間に働く摩擦力により、下方からの支えが無くてもＲＥＴ２０は下方に落下しない。
この状態で、前板２１のねじ２７が、シールドケース７０のねじ孔７６に締結されることで、図２，３に示すように、ＲＥＴ２０はレドーム８０の内部に収容された状態で固定される。
【００３６】
以上、説明したように、本実施の形態のアンテナ装置１００によれば、アンテナ装置１００が支柱２００などの高所に取り付けられた状態においても、ＲＥＴ２０だけを着脱することができる。これにより、アンテナ装置１００の全体を、クレーン車等を使って支柱２００から取り外して地上に下ろすなどの作業が不要となり、ＲＥＴ２０のメンテナンスや交換の手間や時間を軽減、短縮することができる。
【００３７】
また、ＲＥＴ２０がレドーム８０の内部に収容された状態では、ＲＥＴ２０はシールドケース７０の内部に収容されて電磁的にシールドされているため、アンテナ１０に対する影響が排除される。
さらに、シールドケース７０は、下蓋８５に固定されていて、ＲＥＴ２０がレドーム８０の内部から取り外された状態では、ＲＥＴ２０にシールドケース７０が取り付けられていない。したがって、取り外されたＲＥＴ２０のメンテナンスの際に、ＲＥＴ２０からシールドケース７０を取り外す手間がかからない。
【００３８】
また、本実施の形態のアンテナ装置１００は、ＲＥＴ２０がレドーム８０の内部に着脱される動きに伴って、ＲＥＴ２０のコネクタ２５とアンテナ装置１００の内部のコネクタ９０との接続と切断とが切り替えられる。したがって、ＲＥＴ２０をレドーム８０の内部に着脱させる操作とは別に、コネクタ２５，９０の接続、切断の操作を行う必要がない。
【００３９】
さらに、本実施の形態のアンテナ装置１００は、アンテナ装置１００の最下部である下蓋８５に、ＲＥＴ２０をレドーム８０の内部に着脱する際の開口８５ａが形成されている。アンテナ装置１００は支柱２００等の高所に設置されるため、ＲＥＴ２０をレドーム８０の内部に着脱する作業の際は、アンテナ装置１００の下方からアンテナ装置１００に接近していくことになる。
したがって、アンテナ装置１００の最下部である下蓋８５からＲＥＴ２０を着脱できることで、アンテナ装置１００の他の部分にＲＥＴ２０を着脱するための開口が形成されているよりも、着脱の作業を行うときの作業場所へのアクセス性がよい。
また、下蓋８５には、上空から降る雨滴や雪粒等が直接吹き付けることが少ないため、ＲＥＴ２０の前板２１と下蓋８５との間への浸水を防ぐ効果が高い。さらに、下蓋８５は、太陽光に直接晒されないため、ＲＥＴ２０の前板２１と下蓋８５との間の耐候性が高い。
【００４０】
本実施の形態のアンテナ装置１００は、ＲＥＴ２０のねじ２７がシールドケース７０のねじ孔７６に締結されることで、ＲＥＴ２０が、下蓋８５を介することなく、シールドケース７０に直接結合されている。ＲＥＴ２０のコネクタ２５は、シールドケース７０に設けられたコネクタ９０に接続されるため、ＲＥＴ２０がシールドケース７０に直接結合されることで、下蓋８５を介して結合された場合に生じる累積誤差を発生させることがない。したがって、ＲＥＴ２０が下蓋８５を介してシールドケース７０に間接的に結合されたものに比べて、コネクタ２５とコネクタ９０との接続の精度を向上させることができる。
また、ＲＥＴ２０の一部として搭載されたノイズ制御基板２４が、シールドケース７０のガイドレール７５に挿入される突起として利用されているため、ＲＥＴ２０に案内用の突起を別途形成する必要がない。
【００４１】
＜他の実施の形態＞
本発明のアンテナ装置において、シールドケース７０は、レドーム８０に設けられているものに限定されない。すなわち、シールドケース７０は、ＲＥＴ２０が備えていてもよい。
また、シールドケース７０の一部をレドーム８０が備え、シールドケース７０の残りの一部をＲＥＴ２０が備えたものであってもよい。この場合、レドーム８０が有するシールドケース７０の一部とＲＥＴ２０が有するシールドケース７０の残りの一部とによって、ＲＥＴ２０がレドーム８０の内部に収容された状態にて、ＲＥＴ２０の周囲が覆われるように構成されていればよい。
【００４２】
シールドケース７０は、アルミ合金のものに限定されるものではなく、ＲＥＴ２０を電磁的にシールドする機能を発揮するものであれば、他の種々の材料で形成することができる。またシールドケース７０は、ＲＥＴ２０の周囲を完全に覆う形態でなくてもよく、ＲＥＴ２０を電磁的にシールドするものであれば、網状に形成されたものなど、他の形態であってもよい。
【００４３】
ＲＥＴ２０を着脱する開口８５ａは下蓋８５に形成されていなくてもよく、カバー８１や上蓋８４に形成されていてもよい。
レドーム８０側のコネクタ９０は、シールドケース７０に設けたものでなくてもよい。例えば、ＲＥＴ２０のコネクタ２５が、他のコネクタ２８ａ，２８ｂと同様に前板２１に設けられ、レドーム８０側のコネクタ９０が下蓋８５に設けられて、両コネクタ２５，９０が、他のコネクタ付きの電線で接続される構成としてもよい。
【符号の説明】
【００４４】
１０…アンテナ（アンテナ本体の一例）、２０…ＲＥＴ（制御装置の一例）、８０…レドーム（筐体の一例）、１００…アンテナ装置、２００…支柱
【図１】
0005922722.tif 000002
【図２】
0005922722.tif 000003
【図３】
0005922722.tif 000004
【図４】
0005922722.tif 000005
【図５】
0005922722.tif 000006
【図６】
0005922722.tif 000007
【図７】
0005922722.tif 000008
【図８】
0005922722.tif 000009